(57)【要約】【課題】安価で光反射性に優れた光反射シート製カバーを適切な固定構造で取付けることより、コストダウンと、表示面の左右両側部の明るさの向上と、組立作業性の向上を図った液晶モジュールを提供する。【解決手段】リアフレーム１の左右の側板１ａの内側に、傾斜シート部５ａと上縁部５ｂと差込み片５ｃとを具備して冷陰極管３の端部を覆い隠す光反射シート製カバー５を配置し、リアフレーム１の底板１ｂに敷設された光反射シート２の切欠部２ａから差込み片５ｃをリアフレームの底板１ｂと光反射シート２との間に差し込むと共に、上縁部５ｂをリアフレームの左右の側板の上端の支持板部１ｄに載置して、支持板部１ｄに形成された突片１ｅと上縁部５ｂに形成された矩形孔５ｅとからなる固定手段の該突片１ｅを下方から該矩形孔５ｅに挿入することにより、上縁部５ｂを固定した構成の液晶モジュールとする。【選択図】図６
2010282856.tif 000002
【特許請求の範囲】
【請求項１】
リアフレームの左右の側板の内側に、リアフレームの内部に配設された冷陰極管の端部を覆い隠す左右一対の光反射シート製カバーを設けた液晶モジュールであって、
上記光反射シート製カバーは、リアフレームの内側斜め下向きに傾斜する傾斜シート部と、傾斜シート部の上端から外側へ屈曲する上縁部と、傾斜シート部の下端から内側へ突き出す差込み片とを具備しており、
上記光反射シート製カバーの上縁部は、リアフレームの左右の側板の上端に形成された支持板部に載置されて固定手段で固定されており、
上記光反射シート製カバーの差込み片は、リアフレームの底板に敷設された光反射シートの左右両端部に形成された切欠部から、リアフレームの底板と光反射シートとの間に差し込まれて固定されている、
ことを特徴とする液晶モジュール。
【請求項２】
上記固定手段が、リアフレームの上記支持板部に形成された上向きの突片と、上記光反射シート製カバーの上縁部に形成された矩形孔とからなり、この矩形孔に上記突片が下方から挿入されて、光反射シート製カバーの上縁部がリアフレームの支持板部に固定されていることを特徴とする請求項１に記載の液晶モジュール。
【請求項３】
上記矩形孔の短辺の長さが上記突片の厚さよりも若干小さく設定されており、該矩形孔に該突片が下方から圧入されていることを特徴とする請求項２に記載の液晶モジュール。
【請求項４】
上記矩形孔の長辺方向の両端から短辺方向に切込みが形成されていることを特徴とする請求項３に記載の液晶モジュール。
【請求項５】
上記固定手段が、リアフレームの上記支持板部に形成された上向きの突片と、上記光反射シート製カバーの上縁部の外側端に形成された方形の凹欠部とからなり、この凹欠部に上記突片が嵌め込まれて、光反射シート製カバーの上縁部がリアフレームの支持板部に固定されていることを特徴とする請求項１に記載の液晶モジュール。
【請求項６】
上記凹欠部の横幅が上記突片の横幅よりも若干小さく設定されており、該凹欠部に該突片が圧嵌されていることを特徴とする請求項５に記載の液晶モジュール。
【請求項７】
上記凹欠部の開放端の両側に、突片導入用のアール部又はぬすみ部が形成されていることを特徴とする請求項５又は請求項６に記載の液晶モジュール。
【請求項８】
上記固定手段が、リアフレームの上記支持板部に形成された矩形の開口部と、上記光反射シート製カバーの上縁部に、該上縁部の長さ方向に延び且つ両端が外側へ曲がるスリット部を設けることによって形成されたタブ片とからなり、このタブ片が上記開口部からリアフレームの支持板部の下側へ挿入されて、光反射シート製カバーの上縁部がリアフレームの支持板部に固定されていることを特徴とする請求項１に記載の液晶モジュール。
【請求項９】
リアフレームの左右の側板の支持板部に液晶パネル位置決め用の切起し片が形成されると共に、これに対応して左右の光反射シート製カバーの上縁部に形成された起立片が上記切起し片の内側面に当接されており、左右の光反射シート製カバーの上縁部に重ねられた光学シートの左右の端縁の上に更に遮光性のスペーサを介して重ねられた液晶パネルの左右の端縁が上記起立片に近接して、液晶パネルが上記起立片を介して上記切起し片によって左右方向に位置決めされていることを特徴とする、請求項１ないし請求項８のいずれかに記載の液晶モジュール。
【発明の詳細な説明】
【技術分野】
【０００１】
本発明は、テレビ、パソコンその他の電子機器に組み込まれる液晶モジュールに関し、特に、冷陰極管の端部を覆い隠す従来の合成樹脂製のランプフレームに代えて、安価で光反射性に優れた光反射シート製カバーを適切な固定構造で取付けることより、コストダウンと表示面の左右両側部の明るさの向上を図った液晶モジュールに関する。
【背景技術】
【０００２】
従来の液晶モジュールの一つとして、リアフレームの内部に光反射シートと冷陰極管を配置し、冷陰極管の端部を覆い隠す合成樹脂製のランプフレームをリアフレームの左右の側板の内側に取付け、光学シートの左右の端縁をランプフレームの溝部に挿入すると共に、上下の端縁をリアフレームの上下の側板に載置してセルガイドで押え、液晶パネルの四周縁をランプフレームとセルガイドに載置してベゼルで囲繞、固定した概略構造を有するものが知られている。
【０００３】
上記ランプフレームは、冷陰極管の端部を覆い隠して液晶パネルの表示面の左右両側部に明るさのムラが生じるのを防ぐことと、冷陰極管からの光を反射して表示面の左右両側部の明るさが低下するのを防ぐために取付けられるものであり、良好な光反射性を有する白色の合成樹脂で射出成形されている。
【０００４】
一方、左右の反射シートを箱型の固定部材の左右の側板の内側に配置して冷陰極管の端部を覆い隠し、左右の反射シートの下端に形成された多数の突出部を、固定部材の底面に敷設された反射シートの左右両端の多数の起立片に、接着剤又は両面テープで付着して接合した表示装置（引用文献１）や、左右の反射シートの下端に形成された上記突出部の先端を、固定部材の底面に敷設された反射シートの左右両端縁に形成されている多数の溝に挿入した表示装置（引用文献１）も提案されている。
【先行技術文献】
【特許文献】
【０００５】
【特許文献１】特開２００５−３２２６４５号公報
【発明の概要】
【発明が解決しようとする課題】
【０００６】
しかしながら、前述した従来の液晶モジュールのように、白色の合成樹脂製のランプフレームを組み込んだものは、該ランプフレームが安価でないため、昨今の液晶テレビなどのコストダウンの要求に満足に対応し難いという問題がある。また、白色の合成樹脂製のランプフレームは良好な光反射性を有するとは言うものの、光反射シートに比べると光反射の性能が劣っているため、従来の液晶モジュールは、液晶パネルの表示面の左右両側部の明るさをもう少し向上させる余地が残されていた。
【０００７】
一方、前記特許文献１の表示装置のように、左右の反射シートの下端に形成された多数の突出部を、底面の反射シートの左右両端に形成された多数の起立片に接着剤や両面テープで付着して接合したものや、左右の反射シートの下端に形成された多数の上記突出部の先端を、底面の反射シートの左右両端縁に形成された多数の溝に挿入して接合したものは、組立作業性に劣るという問題があり、特に、後者のように突出部の先端を溝に挿入したものは、左右の反射シートが底面の反射シートから簡単に分離するという問題があった。また、前記特許文献１の表示装置は、左右の反射シートの上端縁を固定部材の左右の側板の上面に重ねるだけで、特に固定手段を設けていないため、左右の反射シートの上端縁が外れる心配もあった。
【０００８】
本発明は上記の事情の基になされたもので、その解決しようとする課題は、従来から取付けていた合成樹脂製のランプフレームに代えて、安価で光反射性に優れた光反射シート製カバーを適切な固定構造で取付けることより、コストダウンと、表示面の左右両側部の明るさの向上と、組立作業性の向上を図った液晶モジュールを提供することにある。
【課題を解決するための手段】
【０００９】
上記課題を解決するため、本発明に係る液晶モジュールは、リアフレームの左右の側板の内側に、リアフレームの内部に配設された冷陰極管の端部を覆い隠す左右一対の光反射シート製カバーを設けた液晶モジュールであって、
上記光反射シート製カバーは、リアフレームの内側斜め下向きに傾斜する傾斜シート部と、傾斜シート部の上端から外側へ屈曲する上縁部と、傾斜シート部の下端から内側へ突き出す差込み片とを具備しており、
上記光反射シート製カバーの上縁部は、リアフレームの左右の側板の上端に形成された支持板部に載置されて固定手段で固定されており、
上記光反射シート製カバーの差込み片は、リアフレームの底板に敷設された光反射シートの左右両端部に形成された切欠部から、リアフレームの底板と光反射シートとの間に差し込まれて固定されている、ことを特徴とするものである。
【００１０】
本発明の液晶モジュールにおいては、光反射シート製カバーの上縁部の固定手段として、リアフレームの支持板部に形成された上向きの突片と、光反射シート製カバーの上縁部に形成された矩形孔とからなる固定手段（以下、第一の固定手段という）を採用し、該矩形孔に該突片を下方から挿入して、光反射シート製カバーの上縁部をリアフレームの支持板部に固定することが好ましい。その場合、該矩形孔の短辺の長さを該突片の厚さよりも若干小さく設定して、該矩形孔に該突片を下方から圧入することが好ましく、更に、該矩形孔の長辺方向の両端から短辺方向に切込みを形成すると、より一層好ましい。
【００１１】
また、光反射シート製カバーの上縁部の固定手段として、リアフレームの支持板部に形成された上向きの突片と、光反射シート製カバーの上縁部の外側端に形成された方形の凹欠部とからなる固定手段（以下、第二の固定手段という）を採用し、該凹欠部に該突片を嵌め込んで、光反射シート製カバーの上縁部をリアフレームの支持板部に固定することも好ましい。その場合、該凹欠部の横幅を該突片の横幅よりも若干小さく設定して、該凹欠部に該突片を圧嵌することが好ましく、更に、該凹欠部の開放端の両側に、突片導入用のアール部又はぬすみ部を形成すると、より一層好ましい。
【００１２】
また、光反射シート製カバーの上縁部の固定手段として、リアフレームの支持板部に形成された矩形の開口部と、光反射シート製カバーの上縁部に、該上縁部の長さ方向に延び且つ両端が外側へ曲がるスリット部を設けることによって形成されたタブ片とからなる固定手段（以下、第三の固定手段という）を採用し、該タブ片を該開口部からリアフレームの支持板部の下側へ挿入して、光反射シート製カバーの上縁部をリアフレームの支持板部に固定することも好ましい。
【００１３】
更に、本発明の液晶モジュールにおいては、リアフレームの左右の側板の支持板部に液晶パネル位置決め用の切起し片を形成すると共に、これに対応して左右の光反射シート製カバーの上縁部に形成した起立片を上記切起し片の内側面に当接させ、左右の光反射シート製カバーの上縁部に重ねた光学シートの左右の端縁の上に更に遮光性のスペーサを介して重ねた液晶パネルの左右の端縁を上記起立片に近接させて、液晶パネルを上記起立片を介して上記切起し片により左右方向に位置決めすることが好ましい。
【発明の効果】
【００１４】
本発明の液晶モジュールは、リアフレームの左右の側板の内側に設けた光反射シート製カバーで冷陰極管の端部を覆い隠すため、液晶パネルの表示面の左右両側部に明るさのムラが生じるのを防ぐことができる。しかも、この光反射シート製カバーは従来のランプフレームより遥かに安価であるため、液晶モジュールのコストダウンを達成することができ、また、光反射性能が白色合成樹脂製のランプフレームより優れているため、冷陰極管から発せられた光を光反射シート製カバーの傾斜シート部で効率良く液晶パネル裏面の左右両側部に向かって反射し、液晶パネルの表示面の左右両側部の明るさを向上させることができる。
【００１５】
また、本発明の液晶モジュールは、光反射シート製カバーの差込み片を、リアフレームの底板に敷設された光反射シートの左右両端部に形成された切欠部から、リアフレームの底板と光反射シートとの間に差し込むことによって、光反射シート製カバーの下端を固定しているため、光反射シート製カバーの下端の固定作業が極めて簡単であり、かつ、確実に固定することができる。そして、光反射シート製カバーの上縁部も、前述したように第一，第二，第三の固定手段によってリアフレームの支持板部に簡単かつ確実に固定できるので、固定（組立）作業性が良好であり、光反射シート製カバーが外れる心配も生じない。
【００１６】
特に、第一の固定手段において、矩形孔の短辺の長さを上記突片の厚さよりも若干小さく設定して矩形孔に突片を下方から圧入したものは、固定強度が大きくて外れ難くなり、更に、矩形孔の長辺方向の両端から短辺方向に切込みを形成したものは、圧入するときに、切込みを形成した方の矩形孔の孔縁部が反り上がるように変形するため圧入し易くなり、圧入後は変形した孔縁部によって突片が抜け出し難くなるという利点がある。
【００１７】
また、第二の固定手段において、凹欠部の横幅を突片の横幅よりも若干小さく設定して凹欠部に突片を圧嵌したものは、固定強度が大きくて外れ難くなり、更に、凹欠部の開放端の両側に突片導入用のアール部又はぬすみ部を形成したものは、突片がアール部又はぬすみ部によって凹欠部にスムーズに導入されるため、突片の嵌め込み作業を容易に行えるという利点がある。
【００１８】
また、リアフレームの支持板部に形成された液晶パネル位置決め用の切起し片の内側面に、光反射シート製カバーの上縁部に形成された起立片を当接させ、液晶パネルの左右の端縁を起立片に近接させて位置決めしたものは、液晶パネルの端縁（端面）が板金製の位置決め用切起し片に直接接触しないので、切起し片によって液晶パネルの端縁が損傷する恐れをなくすことができる。そして、液晶パネルの左右の端縁を遮光性のスペーサを介して光学シートの左右の端縁に重ねているので、スペーサによって液晶パネルの左右両端縁からの光の漏れを防止することができる。
【図面の簡単な説明】
【００１９】
【図１】本発明の一実施形態に係る液晶モジュールの分解斜視図である。
【図２】同液晶モジュールの平面図である。
【図３】図２のＡ−Ａ線断面図である。
【図４】図２のＢ−Ｂ線断面図である。
【図５】図２のＣ−Ｃ線断面図である。
【図６】光反射シート及び冷陰極管を取付けたリアフレームの一部と、光反射シート製カバーを分解して示す斜視図である。
【図７】光反射シート及び光反射シート製カバーを取付けたリアフレームの部分平面図である。
【図８】他の光反射シートを取付けたリアフレームの一部と、他の光反射シート製カバーを分解して示す平面図である。
【図９】第一の固定手段を示す分解斜視図である。
【図１０】第一の固定手段で光反射シート製カバーの上縁部をリアフレームの支持板部に固定した状態を示す部分断面図である。
【図１１】第二の固定手段を示す分解斜視図である。
【図１２】第三の固定手段を示す分解斜視図である。
【図１３】第三の固定手段で光反射シート製カバーの上縁部をリアフレームの支持板部に固定した状態を示す部分平面図である。
【図１４】第三の固定手段で光反射シート製カバーの上縁部をリアフレームの支持板部に固定した状態を示す部分断面図である。
【発明を実施するための形態】
【００２０】
図１〜図５に例示する液晶モジュールは、リアフレーム１、光反射シート２、Ｕ字状冷陰極管３、ランプホルダー４、光反射シート製カバー５、光学シート６ａ，６ｂ、スペーサ７、セルガイド８、液晶パネル９、ベゼル１０ａ，１０ｂなどの主要部品で構成されている。
【００２１】
この液晶モジュールの全体構成を概説すると、リアフレーム１は板金を曲げ加工して製作された浅い箱型フレームであって、その内部には光反射シート２が設けられている。そして、この光反射シート２の上には、複数本（この実施形態では２本）のＵ字状冷陰極管３が互いに平行に配設されており、これらのＵ字状冷陰極管３は複数（この実施形態では２つ）のランプホルダー４で支持されている。これらのランプホルダー４は、図１に示すようにＵ字状冷陰極管３を嵌合保持する保持部４ａが形成されたものであって、Ｕ字状冷陰極管３の中央部を保持するランプホルダー４には、光学シート６ａを下方から支持して撓みを防止するポスト４ｂが形成されている。
【００２２】
それぞれのＵ字状冷陰極管３の端部にはランプソケット３ａが取付けられており、これらのランプソケット３ａは、リアフレーム１の左右いずれか一方の側板１ａ（この実施形態では右側の側板）に沿ってリアフレーム１の底板１ｂに形成されたソケット嵌着用開口部（図には表れていない）に嵌着されている。そして、それぞれのランプソケット３ａからＵ字状冷陰極管３のリード線３ｂがリアフレーム１の裏側へ引き出されている。
【００２３】
図３，図４に示すように、Ｕ字状冷陰極管３の両端部は、リアフレーム１の左右の側板１ａ，１ａの内側に取付けられた光反射シート製カバー５，５で覆い隠されており、それによって液晶パネル９の表示面の左右両側部に明るさのムラが生じるのを防止すると共に、表示面の左右両側部の明るさを向上させている。この光反射シート製カバー５，５は本発明の最大の特徴とする構成部材であるので、その形状及び取付構造については後で詳しく説明する。
【００２４】
光反射シート製カバー５，５の上縁部５ｂ，５ｂには、図１，図３，図４に示すように光学シート６ａ，６ｂの左右の端縁が重ねられ、その上には光遮光性の帯状スペーサ７を介して液晶パネル９の左右の端縁が重ねられている。また、図１，図５に示すように、リアフレーム１の上下の側板１ｃ，１ｃ（ほぼ逆Ｕ字状に折り曲げられた二重側板）には、光学シート６ａ，６ｂの上下の端縁が重ねられてセルガイド８，８で押えられており、このセルガイド８，８に液晶パネル９の上下の端縁が載置されている。そして、この液晶パネル９の四周の端縁とリアフレーム１の四周の側板を囲むように、板金製の長短４本のベゼル１０ａ，１０ａ，１０ｂ，１０ｂが方形枠状に連結されて、ビス１１（図５参照）でリアフレーム１の二重側板１ｃ，１ｃに固定されている。
【００２５】
上記光学シート６ａ，６ｂは、Ｕ字状冷陰極管３から発せられる光を拡散して液晶パネル９に均一に照射する光拡散シートであって、上側の光学シート６ｂは薄い光拡散シートであるが、下側の光学シート６ａは撓みにくい厚手のパネル状の光拡散シート（光拡散板）が使用されている。また、図１，図５に示すように、液晶パネル９の上端縁にはチップオンフィルム９ａを介してＸ−配線基板９ｂが接続されており、このＸ−配線基板９ｂは上記セルガイド８の側面に固定されている。
【００２６】
この液晶モジュールの特徴とする前記光反射シート製カバー５は、リアフレーム１の底板１ｂに敷設される前記光反射シート２と同様の光反射シート、即ち、基材シートの表面にアルミ蒸着フィルムなどをラミネートした、安価で優れた光反射性能を有する光反射シートを用いて製作されたものであって、図３，図４，図６に示すように、リアフレームの内側斜め下向きに傾斜する傾斜シート部５ａと、傾斜シート部５ａの上端から外側へ屈曲する上縁部５ｂと、傾斜シート部５ａの下端から内側へ突き出す２つの方形の差込み片５ｃ，５ｃとを具備して成り、傾斜シート部５ａの下端には、Ｕ字状冷陰極管３を挿通する凹部５ｄが複数（この実施形態では４つ）形成されている。
【００２７】
そして、この光反射シート製カバー５の下端は、図１，図４，図６，図７に示すように、上記差込み片５ｃ，５ｃを、リアフレーム１の底板１ｂに敷設された光反射シート２の左右両端部に二箇所づつ形成されている方形の切欠部２ａ，２ａから、リアフレーム１の底板１ｂと光反射シート２との間へ内側向きに差し込むことによって固定されている。
【００２８】
差込み片５ｃや切欠部１ｅの形状は上記のような方形に限定されるものではなく、例えば、図８に示すような鉤形の差込み片５ｃ，５ｃと鉤形の切欠部２ａ，２ａを形成し、鉤形の差込み片５ｃ，５ｃを切欠部２ａ，２ａから鉤形に曲がった方向に挿入してリアフレーム１の底板１ｂと光反射シート２との間へ差し込むことにより、光反射シート製カバー５の下端を固定してもよい。
【００２９】
一方、光反射シート製カバー５の上縁部５ｂは、以下に述べる第一の固定手段によって、リアフレーム１の左右の側板１ａ，１ａの上端から内側へ直角に折れ曲がる支持板部１ｄ，１ｄに固定されている。即ち、図６に示すように、上記支持板部１ｄの長さ方向中央から一端側に偏った箇所には、光反射シート製カバー５の上縁部５ｂを固定するための第一の固定手段を構成する上向きの突片１ｅが切り起こしによって形成されており、この突片１ｅに対応して、光反射シート製カバー５の上縁部５ｂには、同じく第一の固定手段を構成する矩形孔５ｅが形成されている。そして、この矩形孔５ｅに上記突片１ｅを下方から挿入することによって、光反射シート製カバー５の上縁部５ｂがリアフレーム１の支持板部１ｄに固定されている。なお、この矩形孔５ｅは、上縁部５ｂの長さ方向中央から両側に偏った対称位置に２つ形成されているが、これは、左右の光反射シート製カバー５，５を共通の形状とすることによって、左右の光反射シート製カバーの取付け間違いを防止するためである。
【００３０】
この実施形態の液晶モジュールでは、図９に示すように、矩形孔５ｅの短辺の長さＬを突片１ｅの厚さＴよりも若干小さく設定し、且つ、矩形孔５ｅの長辺方向の両端から短辺方向に切込み５ｆ，５ｆを形成することによって、図１０に示すように、切込みを形成した方の矩形孔の孔縁部５ｇを少し反り上がるように変形させながら、突片１ｅを矩形孔５ｅに容易に圧入できるようにすると共に、突片１ｅが矩形孔５ｅから抜けないように強固に固定している。
【００３１】
また、光反射シート製カバー５の上縁部５ｂは、図１１に示すような第二の固定手段によって、リアフレーム１の支持板部１ｄに固定することも好ましい。即ち、この第二の固定手段は、リアフレーム１の支持板部１ｄに形成された前記の上向きの突片１ｅと、光反射シート製カバー５の上縁部５ｂの外側端に形成された方形の凹欠部５ｈとからなるものであって、この凹欠部５ｈに上記突片１ｅを嵌め込んで、光反射シート製カバー５の上縁部５ｂをリアフレーム１の支持板部１ｄに固定するものである。
【００３２】
この第二の固定手段においては、凹欠部５ｈの横幅Ｗ５を突片１ｅの横幅Ｗ１よりも若干小さく設定し、且つ、凹欠部５ｈの開放端の両側に突片導入用のアール部５ｉ，５ｉ又はぬすみ部を形成することによって、突片１ｅを凹欠部５ｈにスムーズに圧嵌できるようにし、固定強度と固定（嵌め込み）作業性を高めることが望ましい。また、場合によっては、光反射シート製カバー５の上縁部５ｂを両面テープなどでリアフレーム１の支持板部１ｄに貼着し、固定強度を一層高めることも望ましい。
【００３３】
更に、光反射シート製カバー５の上縁部５ｂは、図１２〜図１３に示すような第三の固定手段によって、リアフレーム１の支持板部１ｄに固定することも好ましい。即ち、この第三の固定手段は、図１２に示すように、光反射シート製カバー５の上縁部５ｂにおいて該上縁部５ｂの長さ方向に延び且つ両端が外側へ曲がる縦長コ字状のスリット部５ｋを設けることによって形成されたタブ片５ｊと、リアフレーム１の支持板部１ｄに形成された矩形の開口部１ｆとからなるものであって、図１３，図１４に示すように、タブ片５ｊを支持板部１ｄの開口部１ｆから支持板部１ｄの下側へ挿入して、光反射シート製カバー５の上縁部５ｂをリアフレーム１の支持板部１ｄに固定するものである。このような第三の固定手段は、タブ片５ｊの挿入作業がし易く、しかも、タブ片５ｊが開口部１ｆから外れにくくて光反射シート製カバー５の上縁部５ｂを確実に固定できる利点がある。
【００３４】
図１，図６に示すように、リアフレーム１の上記支持板部１ｄの両端近傍箇所には、液晶パネル位置決め用の切起し片１ｇ，１ｇが形成されており、これに対応して光反射シート製カバー５の上縁部５ｂには起立片５ｍ，５ｍが形成されている。そして、この光反射シート製カバー５の起立片５ｍは、図４に示すようにリアフレーム１の支持板部１ｄの切起し片１ｇの内側面に当接しており、液晶パネル９の左右の端縁が該起立片５ｍに近接して、該起立片５ｍを介して切起し片１ｇにより左右方向に位置決めされている。このように液晶パネル９の左右の端縁を位置決めすると、液晶パネル９の端縁が板金製の位置決め用切起し片１ｇに直接接触しないので、液晶パネル９の端縁が切起し片１ｇによって損傷する恐れをなくすことができる。また、光学シート６ａ，６ｂの左右の端縁も、上記の切起し片１ｇで位置決めされている。なお、液晶パネル９の上端縁と下端縁は、図１，図５に示すように、セルガイド８の両端部寄りに突設された位置決め突起８ａ，８ａで位置決めされている。
【００３５】
また、液晶パネル９の左右の端縁は、この実施形態では既述したように遮光性の帯状スペーサ７に載置されているが、場合によっては、スペーサ７に代えてセルガイドを使用し、セルガイドで光学シート６ａ，６ｂの左右の端縁を押えると共に、液晶パネル９の左右の端縁を支持させるようにしてもよい。けれども、この実施形態のように遮光性のスペーサ７で液晶パネル９の左右の端縁を支持させる場合は、スペーサ７が安価であるためコストダウンを図ることができ、また、遮光性であるため、液晶パネル９の左右の端縁からの光の漏れを防止できる利点もある。
【００３６】
以上のように、本発明の液晶モジュールは、リアフレーム１の左右の側板１ａ，１ａの内側に設けた光反射シート製カバー５，５でＵ字状冷陰極管３の端部を覆い隠すため、液晶パネル９の表示面の左右両側部に明るさのムラが生じるのを防ぐことができ、しかも、この光反射シート製カバー５は従来のランプフレームよりも安価で光反射性能に優れているため、液晶モジュールのコストダウンと、液晶パネル９の表示面の左右両側部の明るさを向上させることができる。そして、この光反射シート製カバー５の差込み片５ｃ，５ｃを、リアフレーム１の底板１ｂに敷設された光反射シート２の左右両端部に形成された切欠部２ａ，２ａから、リアフレーム１の底板１ｂと光反射シート２との間に差し込むことによって、光反射シート製カバー５の下端を固定しているため、光反射シート製カバー５の下端の固定作業が極めて簡単で確実に固定することができ、更に、光反射シート製カバー５の上縁部５ｂも、前述した第一，第二，第三の固定手段によってリアフレーム１の支持板部１ｄに簡単かつ確実に固定できるので、光反射シート製カバー５の固定（組立）作業性が良好であり、光反射シート製カバー５が外れる心配も生じないなど、優れた効果を奏する。
【符号の説明】
【００３７】
１    リアフレーム
１ａ  左右の側板
１ｂ  底板
１ｄ  支持板部
１ｅ  第一及び第二の固定手段を構成する突片
１ｆ  第三の固定手段を構成する開口部
１ｇ  液晶パネル位置決め用の切起し片
２    光反射シート
２ａ  切欠部
３    Ｕ字状冷陰極管
５    光反射シート製カバー
５ａ  傾斜シート部
５ｂ  上縁部
５ｃ  差込み片
５ｅ  第一の固定手段を構成する矩形孔
５ｆ  切込み
５ｈ  凹欠部
５ｉ  アール部
５ｊ  第三の固定手段を構成するタブ片
５ｋ  スリット部
５ｍ  起立片
６ａ，６ｂ  光学シート
７    スペーサ
Ｌ    矩形孔の短辺の長さ
Ｔ    突片の厚さ
Ｗ１  突片の横幅
Ｗ５  凹欠部の横幅
【図１】
2010282856.tif 000003
【図２】
2010282856.tif 000004
【図３】
2010282856.tif 000005
【図４】
2010282856.tif 000006
【図５】
2010282856.tif 000007
【図６】
2010282856.tif 000008
【図７】
2010282856.tif 000009
【図８】
2010282856.tif 000010
【図９】
2010282856.tif 000011
【図１０】
2010282856.tif 000012
【図１１】
2010282856.tif 000013
【図１２】
2010282856.tif 000014
【図１３】
2010282856.tif 000015
【図１４】
2010282856.tif 000016